(57)【特許請求の範囲】
【請求項１】
操作前面側上部に散剤分割部を配するとともに、上面部に錠剤分割部を配し、内部に散剤の分配器と錠剤の分配器とをそれぞれ備え、それら分配器を間欠横行させて分割された散剤・錠剤をホッパーから包装部に送り、所要分量ずつ袋体内に封入する薬剤分包装置において、
前記錠剤分割部における錠剤分割枡は、当該薬剤分包装置の長手方向に所要ピッチでかつ幅方向に複数列に配列される投下口を有し、各投下口は、前記長手方向の寸法が前記錠剤分割枡の区分ピッチの１／ｎとなるように狭められるとともに、前記複数列の各投下口が順次１／ｎピッチずらせて設けてあり、前記錠剤分割枡の投下口直下には、各投下口に対応するように内部を仕切られた錠剤シュートが設けられ、この錠剤シュートの出口に対応するように前記錠剤の分配器の分配枡が前記投下口ごとに一列に配列されていることを特徴とする薬剤分包装置。
【請求項２】
前記投下口は、前記錠剤分割枡の区画の一方に片寄せられるとともに、前記錠剤分割枡の内底面がその一端から前記投下口に向って下がり勾配の傾斜面に形成されている請求項１に記載の薬剤分包装置。
【請求項３】
前記錠剤分割枡は、当該薬剤分包装置の幅方向に３列配され、第１列の錠剤分割枡における内底部の傾斜方向と、第３列の錠剤分割枡における内底部の傾斜方向が逆に形成され、第２列の錠剤分割枡では両側から投下口に向かって下がり勾配となる内底面に形成されている請求項１に記載の薬剤分包装置。
【請求項４】
前記錠剤の分配器と散剤の分配器とは、相互に連結されるフレームに取り付けられて、一台のモータによって包装部への薬剤ホッパー上部を移動して分割された薬剤を順次その薬剤ホッパーに投下できる構成とされる請求項１〜３のいずれかに記載の薬剤分包装置。
【発明の詳細な説明】
【０００１】
【発明の属する技術分野】
本発明は、病院や診療所などで処方箋に基づいて調剤分包するのに使用される薬剤分包装置に関するもので、詳しくは錠剤分割部を合理的に構成して、全体構造を小型化できる薬剤分包装置に関するものである。
【０００２】
【従来の技術】
従来、病院や診療所あるいは医院で処方箋に基づいて調剤するのに使用されている薬剤分包装置は、散剤と錠剤（カプセル・錠剤）とを取扱うことができて、一般に手元側で散剤を受入れて分割する分割器が設けられ、装置の上面に錠剤を分割するための多数の分割枡が配置されている。そして、散剤の分割手段は、散剤を受入れる分割用枡とその直下に配置される多数の分配枡（分配器）とで構成されており、また、錠剤の分割手段としては、装置頂部に設けられる多数の分割枡とその直下に配される多数の分配枡（分配器）とで構成されている。
【０００３】
このような構成の薬剤分包装置にあっては、その散剤の分配枡並びに錠剤の分配枡が、それぞれ独立して包装位置へのホッパー上に移動して、各分配枡の底部に設けられた弁板（開閉板）を順次開閉する構造にされている。
【０００４】
【発明が解決しようとする課題】
このような従来の薬剤分包装置にあっては、特に錠剤を分割するために設けられる分割枡が、散剤とは異なり投入される錠剤のサイズが大きいカプセル入りの薬剤を扱うために大きなスペースを必要とし、隣接する区画とを確実に区分できる関係上、どうしても広いスペースを必要とする。しかも、分割数がすくなくとも２１包分を必要とする関係から最小７×３の配列が要求される。このようなことから、分割枡の配置部と、その直下で分割された錠剤を受入れて包装のためのホッパー上まで移動させて順次投入するための分配枡とが大きなスペースとなって装置全体の容量を大きくする原因となっている。
【０００５】
また、従来の分包装置では、散剤の分配枡と錠剤の分配枡は独立した駆動装置によって駆動される構造となっており、それに伴って駆動機構が複雑化するという問題点がある。
【０００６】
このようなことから、全体の容量が大きくて設置スペースを多く必要とするので、他の調剤機器や薬剤収容棚などの設置によって作業スペースに制限をうける薬局内に設置する薬剤分包装置としては、できるだけ設置スペースが少なくて済む装置が要望され、とりわけ、施療技術の進歩によって調剤薬の品種が増加するに伴い小規模の薬局では、そのような要望が高まっている。
【０００７】
本発明は、このような状況に鑑みてなされたものであって、錠剤の分割供給スペースを合理的に縮小して、効果的に分包機能を高め得る構成の薬剤分包装置を提供することを目的とするものである。
【０００８】
【課題を解決するための手段および作用・効果】
前述された目的を達成するために、本発明による薬剤分包装置は、
操作前面側上部に散剤分割部を配するとともに、上面部に錠剤分割部を配し、内部に散剤の分配器と錠剤の分配器とをそれぞれ備え、それら分配器を間欠横行させて分割された散剤・錠剤をホッパーから包装部に送り、所要分量ずつ袋体内に封入する薬剤分包装置において、
前記錠剤分割部における錠剤分割枡は、当該薬剤分包装置の長手方向に所要ピッチでかつ幅方向に複数列に配列される投下口を有し、各投下口は、前記長手方向の寸法が前記錠剤分割枡の区分ピッチの１／ｎとなるように狭められるとともに、前記複数列の各投下口が順次１／ｎピッチずらせて設けてあり、前記錠剤分割枡の投下口直下には、各投下口に対応するように内部を仕切られた錠剤シュートが設けられ、この錠剤シュートの出口に対応するように前記錠剤の分配器の分配枡が前記投下口ごとに一列に配列されていることを特徴とするものである。
【０００９】
本発明によれば、装置の上面部に設けられた錠剤分割部における錠剤分割枡の投下口を、当該薬剤分包装置の長手方向の寸法が錠剤分割枡の区分ピッチの１／ｎとなるように設定することで、分配枡を備える錠剤の分配器が長さ方向に小型化され、結果的に装置全体をコンパクトにまとめることができるという効果がある。また、錠剤分割部の錠剤分割枡から分配枡へ分割された錠剤を確実に送ることができる。そして、錠剤の分配器を小型化できるので、散剤の分配器と同一のものを使用することが可能になり、製作コストを低減できるという効果が得られる。
【００１０】
前記投下口は、前記錠剤分割枡の区画の一方に片寄せられるとともに、前記錠剤分割枡の内底面がその一端から前記投下口に向って下がり勾配の傾斜面に形成されているのがよい（第２発明）。こうすると、錠剤分割枡を形成する区画内に投入される錠剤が内底面の傾斜によって投下口に転がるなどして導かれ、シャッターが開かれると錠剤分割枡の真下に付されるシュートを経て錠剤の分配器の各分配枡内に投下され、包装部へ円滑に送り出すことができる。
【００１１】
また、前記錠剤分割枡は、当該薬剤分包装置の幅方向に３列配され、第１列の錠剤分割枡における内底部の傾斜方向と、第３列の錠剤分割枡における内底部の傾斜方向が逆に形成され、第２列の錠剤分割枡では両側から投下口に向かって下がり勾配となる内底面に形成されている構成であってもよい（第３発明）。こうすることで、錠剤分割枡の区分配列を揃えることができるので、外観的に体裁良くできる。
【００１２】
また、前記錠剤の分配器と散剤の分配器とは、相互に連結されるフレームに取り付けられて、一台のモータによって包装部への薬剤ホッパー上部を移動して分割された薬剤を順次その薬剤ホッパーに投下できる構成とされるのがよい（第４発明）。このように構成されることにより、駆動部を一つにして部品点数が少なくできるのでコストダウンして安価に提供することができるという効果がある。また、錠剤の分割構造と相俟って装置全体の小型化に貢献する。
【００１３】
【発明の実施の形態】
次に、本発明による薬剤分包装置の具体的な実施の形態につき、図面を参照しつつ説明する。
【００１４】
図１には本発明による薬剤分包装置の一具体例の全体斜視図が示されており、図２に薬剤分包装置の要部平面図が、図３に錠剤分割部の要部を示す拡大縦断面図が、図４に分割部の拡大断面図が、図５にそれぞれ示されている。
【００１５】
この実施形態の薬剤分包装置１は、所要寸法で横長のキャビネット構造にされた本体２の操作前面側上部の一方に片寄せて散剤分割部３が設けられ、上面の一方に片寄せて錠剤分割部７が設けられ、本体２の内部における中央部分に周知構造の包装部３０が配置されている。
【００１６】
前記散剤分割部３は、散剤受入れ枡４が周知のＶ型断面をした構造で、その内部にスライド可能に設けられた仕切り板４′の位置を上部に付設される目盛４ｂに合わせて移動させると、投入される散剤を所要量に分割する準備が行えるようになっていて、一方の傾斜する開閉板４ａを回動して開くと投入された散剤が一斉に落下して直下に位置する分配器５内の分配枡に受入れられて分割される構成になっている。なお、前記分配器５は、従来のものと同じ構造で、散剤受入れ枡４の全長に対応する長さ寸法にされた内部を最大分割数に分割されてなる分配区画（分配枡）を備えている。
【００１７】
また、錠剤分割部７は、本体２の上面に所要数に区分されて複数列（例えば７×３列）にて本体２の長手方向に配列される多数の独立したポケット（分割枡８）からなり、その底部に沿って一斉に開閉できるシャッター９が設けられ、このシャッター９は常時閉じている構造になっている。そして、この分割部７における分割枡８の配列は、図２に示されるように、後述する各分割枡８に設けられる投下口８ａを、長さ方向の寸法が長手方向に配列する区分ピッチＰのほぼ１／ｎ（具体的には１／３Ｐ）となるように狭められて、その各列（３列）の分割枡８の各投下口８ａを順次１／ｎＰ（１／３Ｐ）ピッチずらせて設けられる。
【００１８】
前記分割枡８は、図３に示されるように、その内底部において一方（具体的には後述する分配器１３の前進方向側）に片寄せて投下口８ａが設けられ、この投下口８ａに対してその反対側から分割枡８の内底面８ｂが下がり勾配の傾斜面に形成されている。このようにされる分割枡８は、３列に配列されて各列ごとに７区分に分割されて設けてあり、これら各列の分割枡８の投下口８ａが前述のように１／３Ｐずつずれて配置されているので、分割枡８を設けられた分割部材８Ａの下面に沿って配されるシャッター９にも、前記各投下口８ａに対応する配置で開口部９ａが設けられる。
【００１９】
前記分割部材８Ａとその下面に沿って設けられるシャッター９の下側には錠剤シュート１０が付設されている。この錠剤シュート１０は、前記分割部材８Ａに設けられた各分割枡の投下口８ａがすべて対応するように、この実施形態において２１（７×３）の区画に仕切り壁１０ａによって仕切られて形成され、上面部は３列の分割枡８の配列幅で下端部を狭く絞った形状にされている。なお、このように構成するために錠剤シュート１０はプラスチックで一体に成形されている。もちろん、金属板で構成してもよい。
【００２０】
このように形成される分割部材８Ａとシャッター９および錠剤シュート１０は、図４に示されるように、その分割部材８Ａの裏面に突設された複数の取付ボス部８ｄ，８ｅに支持部材１１，１１′を介して取付けられ、前記シャッター９のみ所要ストローク分、図示されない部材によって長手方向に摺動する構成とされている。
【００２１】
一方、前記錠剤の分配器１３は、前記散剤の分配器５と全く同一の構造にされている。したがって、この実施形態の薬剤分包装置１では、散剤の分配器５と錠剤の分配器１３に共通のものが使用でき、生産コストを引き下げることができる。図中符号１３ａは分配枡、１３ｂは底部に設けられた開閉板（弁板）である。
【００２２】
このような分割部７に対して錠剤の分配器１３並びに散剤の分配器５は、本体２の内部で分配器キャリア１５にて支持されて、包装部のホッパー上側を通って長手方向に配設されるガイドレール１７，１８に、前記分配器キャリア１５に取付く複数のローラ１９を介して水平状態を保たれてスライド可能に案内支持される。なお、前記錠剤の分配器１３および散剤の分配器５には、いずれもその底部に開閉板１３ｂが付設され、包装部３０のホッパー３１上において開閉するようにされている。
【００２３】
前記分割器キャリア１５は、その長手方向の一側部にラックギア２０が設けられ、本体フレーム（図示省略）に支持されるモータ２１（ステッピングモータ）の出力軸に取付くピニオン２２を前記ラックギア２０に噛み合わせて、包装部３０のホッパー３１上方へ間欠移動するようにされている。また、この分割器キャリア１５は、図４によって示されるように、散剤の分配器５を支持する部分に対して錠剤の分配器１３が支持される部分を高い位置になる構造にされ、包装部３０のホッパー３１上で分割された薬剤が投下されるとき、散剤側では飛散するのを防止できるようにし、錠剤側では投下した錠剤が確実の包装袋形成部に転がり込むように落下距離をとる構成にされている。
【００２４】
このようにされる本実施の形態では、従来の調剤分包作業と同様にして散剤の分割部３では、所要量の散剤を散剤受入れ枡４に投入して均し、開閉板４ａを開くことで、直下に位置する分配器５の区分された枡内に落下して分割される。また、錠剤は、錠剤分割部７における分割枡８内に処方箋に従って所要の錠剤を順次入れた後シャッター９を開くと、各分割枡８の投下口８ａから一斉に錠剤シュート１０を経て直下位置の錠剤の分配器１３における分配枡１３ａ内に受入れられる。
【００２５】
錠剤分割部７における各分割枡８は、その内底面８ｂの一方に片寄せて投下口８ａが設けられ、かつその内底面８ｂが投下口に向って下がり勾配の傾斜面にされているので、分割に際して投入される錠剤が傾斜面に沿って最低位置にある投下口８ａに向って移動し、シャッター９が開くと残留することなく投下されることになる。なお、この分割枡８はタブレットのみならずカプセル入りの薬剤であっても食み出すことがない寸法にて形成され、隣接する分割枡側へ移動することがないようにされる。
【００２６】
さらに、錠剤分割部７におけるシャッター９が開かれて各分割枡８の投下口８ａから落下する錠剤は、その投下口８ａの直下に配置されている錠剤シュート１０が仕切り壁１０ａによって各投下口８ａに対応するようにして仕切られているので、落下の途中で隣接する部分と混合することがなく、確実に錠剤の分配器１３における分配枡１３ａ内に受入れられる。
【００２７】
こうして薬剤の分割操作が行われた後、装置の駆動部を作動させると、周知の手段で包装部３０に分包紙をロール部（図示せず）から繰出され、同時にモータ２１が起動されてピニオン２２によりラックギア２１が駆動されると、分配器キャリア１５が間欠送りされ、１ピッチ移動するごとに散剤の分配器５および錠剤の分配器１３における各分配区画の底に付設される開閉板１３ｂが開いて、内部に保持していた散剤・錠剤がホッパー３１内に落下して、ホッパー３１の落ち口から待機している包装体の開口内に受入れられてヒートシール機構３２により包装され、この動作が同調して順次分包されるのである。
【００２８】
本実施形態の薬剤分包装置１では、散剤の分配器５と錠剤の分配器１３が分配器キャリア１５によって同時に移動する構成になっているので、散剤のみを分包する場合には、錠剤の分割操作を行わず、逆に錠剤のみを分包するときには散剤の分割操作を行わないようにすることで、別個に包装することができる。
【００２９】
次に、図５に示されるのは、錠剤分割部における分割枡の他の実施形態を表わす平面図であって、基本的構成において前記実施の形態と同様であるが構造上一部が異なる形状のものである。したがって、前記実施形態と同一の部分については、同一の符号を付している。
【００３０】
この錠剤分割部７Ａにおける分割枡８は、３列に配される分割枡８の列において、投下口８ａの位置を１／３Ｐで順次ずらせるようにして、区分を揃える配置構造としたものである。したがって、第１列の分割枡８における内底面８ｂの傾斜方向と第３列の分割枡８″における投下口８ａへの内底面８ｂの傾斜方向が逆に形成され、第２列の分割枡８′では投下口８ａが中央に位置して両側から投下口８ａに向かって下がり勾配となる内底面８ｂ′に形成されている。
【００３１】
このような構成にされた分割枡８，８′，８″を備える分割部７Ａとすれば、前記実施形態における分割枡８の区分配列のように１／３Ｐ（１／ｎＰ）ずつずれた形状とならず揃えて配分できるので、外観的に体裁良くできるとともに、分割部材８Ａを小型化できるという利点がある。なお、分包作業については前述のものと変わりがない。
【００３２】
上述のように、本発明によれば、錠剤分割部を合理的にコンパクト化することによって、装置全体を小型化することが可能になり、設置スペースにゆとりを求める薬局の調剤室に配置して有効に活用できる装置とすることができる。
【図面の簡単な説明】
【図１】  図１は、本発明による薬剤分包装置の一具体例の全体斜視図である。
【図２】  図２は、本実施形態の薬剤分包装置の要部平面図である。
【図３】  図３は、錠剤分割部の要部を示す拡大縦断面図である。
【図４】  図４は、分割部の拡大断面図である。
【図５】  図５は、錠剤分割部における分割枡の他の実施形態を表わす平面図である。
【符号の説明】
１                    薬剤分包装置
２                    本体
３                    散剤分割部
４                    散剤受入れ枡
５                    散剤の分配器
７，７Ａ              錠剤分割部
８，８′，８″        分割枡
８ａ                  投下口
８ｂ，８ｂ′          分割枡の内底面
８Ａ                  分割部材
９                    シャッター
１０                  錠剤シュート
１３                  錠剤の分配器
１５                  分配器キャリア
１７，１８            ガイドレール
１９                  ローラ
２０                  ラックギア
２１                  モータ
２２                  ピニオン
【図１】
0004028987.tif 000002
【図２】
0004028987.tif 000003
【図３】
0004028987.tif 000004
【図４】
0004028987.tif 000005
【図５】
0004028987.tif 000006